(57)【特許請求の範囲】
【請求項１】
面発光モジュールと、当該面発光モジュールの給電端子に弾接し当該給電端子を介して電源を供給する給電部と、面発光モジュールを保持するとともに当該面発光モジュールの給電端子を給電部に弾接させるホルダー部とを備え、前記給電部は、前記給電端子と当接する受け部が設けられた弾性部材を備え、前記受け部の端縁に、前記給電端子との弾接方向に対して斜めに傾斜し、前記弾接方向と交差する方向において前記面発光モジュールを位置決めするテーパ部を設けたことを特徴とする面発光照明器具。
【発明の詳細な説明】
【技術分野】
【０００１】
本発明は、面発光照明器具に関するものである。
【背景技術】
【０００２】
従来より、面光源パネルへの給電部の電極として弾性部材を用いた照明器具が提供されている（例えば特許文献１参照）。この照明器具は、平面状の面光源パネルと、一面が開口し上記面光源パネルが収納される透光性ケースと、開口を閉塞するように透光性ケースに取り付けられ、面光源パネルに電源を供給する板状の給電部とを備えている。給電部には、面光源パネルの各電極に対応する部位に、例えばスチール製ばねからなる複数の弾性部材がそれぞれ設けられており、これらの弾性部材により給電部の電極が構成されている。この照明器具では、給電部を透光性ケースに取り付けると、各弾性部材が面光源パネルの対応する電極とそれぞれ弾接し、各弾性部材と対応する電極とがそれぞれ電気的に接続される。
【特許文献１】特開２００５−７０５０１号公報（段落［００３２］−段落［００３５］、及び、第７図）
【発明の開示】
【発明が解決しようとする課題】
【０００３】
上述の特許文献１に示した照明器具では、取付状態において、給電部側の各弾性部材が面光源パネル側の対応する電極にそれぞれ弾接しているので、面光源パネルに確実に給電できるものではあるが、透光性ケース内に面光源パネルを位置決めするための位置決め手段を設ける必要があり、部品点数が増加するという問題があった。
【０００４】
本発明は上記問題点に鑑みて為されたものであり、その目的とするところは、面発光モジュールの位置決めが容易に行えるとともに、部品点数を削減した面発光照明器具を提供することにある。
【課題を解決するための手段】
【０００５】
請求項１の発明は、面発光モジュールと、当該面発光モジュールの給電端子に弾接し当該給電端子を介して電源を供給する給電部と、面発光モジュールを保持するとともに当該面発光モジュールの給電端子を給電部に弾接させるホルダー部とを備え、給電部は、給電端子と当接する受け部が設けられた弾性部材を備え、受け部の端縁に、給電端子との弾接方向に対して斜めに傾斜し、弾接方向と交差する方向において面発光モジュールを位置決めするテーパ部を設けたことを特徴とする。
【発明の効果】
【０００６】
請求項１の発明によれば、弾性部材の受け部の端縁に、給電端子との弾接方向に対して斜めに傾斜するテーパ部を設けているので、テーパ部が面発光モジュールに接触することによって、上記弾接方向と交差する方向において面発光モジュールを容易に位置決めすることができ、また弾性部材の受け部に給電端子を弾接させることによって、受け部と給電端子との密着性を向上させることができるので、電気的接続の信頼性を向上させた面発光照明器具を提供することができるという効果がある。さらに、弾性部材にテーパ部を設けることによって面発光モジュールの移動を規制できるので、振動などが加わった場合でも面発光モジュールが移動することがなく、面発光モジュールの給電端子を給電部に確実に接触させることができるという効果がある。またテーパ部で位置決め手段を構成しているので、従来例のように面発光モジュールの位置決め手段を別に設けなくてもよく、部品点数を削減することができるという効果がある。
【発明を実施するための最良の形態】
【０００７】
本発明の実施形態を図面に基づいて説明する。本実施形態の面発光照明器具Ａは、例えば壁面などの造営材に取り付けられ、室内などを照明するために用いられる。
【０００８】
本実施形態の面発光照明器具Ａは、図１及び図２に示すように縦長の略矩形板状の面発光モジュール５と、面発光モジュール５の給電端子（図示せず）に電源を供給するための一対の給電部材（弾性部材）４と、給電部材４、４間に直流電源ＤＣを供給するための点灯回路３と、点灯回路３が取り付けられるボディ１と、ボディ１に取り付けられ面発光モジュール５を保持する保持カバー（ホルダー部）２とを備えている。
【０００９】
ボディ１は、例えば合成樹脂により縦長の略矩形板状に形成され、ボディ１の上面には給電部材４、４間に直流電源ＤＣを供給するための点灯回路３が取り付けられている。また、ボディ１の幅方向（図２中の左右方向）において点灯回路３の両側には一対の給電部材４、４が対向して配置されており、一方（図２中の右側）の給電部材４は点灯回路３のプラス側の出力端子（図示せず）に接続され、他方（図２中の左側）の給電部材４はマイナス側の出力端子（図示せず）に接続されている。
【００１０】
給電部材４は、例えば弾性を有する導電材料からなり、図１及び図２に示すように側面視の形状が略コ字状に形成された長尺状の取付片４ａを有し、取付片４ａの上片の端縁には上方に向かって当該上片と略直交する方向に延出し、さらにその端縁が外側に向かって上記上片と略平行な方向に延出するＬ字状の支持片４ｂが折曲形成されている。また、支持片４ｂの端縁には、斜め上方に傾斜するテーパ部４ｃが折曲形成されている。この給電部材４は、その長手方向がボディ１の長手方向に沿って配置され、例えば取付片４ａの下片に設けたねじ挿通孔（図示せず）に挿通した固定ねじ（図示せず）を用いてボディ１にねじ固定される。ここに、支持片４ｂの上片により受け部が構成されている。
【００１１】
保持カバー２は、例えば透光性を有する合成樹脂からなり、図１及び図２に示すように下面が開口する略矩形箱状のカバー本体２ａを有し、カバー本体２ａの内側面において各給電部材４の受け部（支持片４ｂの上片）に対応する部位には、給電部材４側に突出する突起２ｂがそれぞれ設けられている。これらの突起２ｂは、カバー本体２ａの長手方向に沿って給電部材４の長さ寸法と略同寸法に形成され、さらに各突起２ｂの高さ寸法は、面発光モジュール５を両給電部材４、４の受け部に載置した状態で、面発光モジュール５に当接する高さに設定されている。尚、保持カバー２は、適宜の取付手段によりボディ１に取り付けられる。
【００１２】
面発光モジュール５は、例えば透明基板の一面に陽極電極、有機発光層及び陰極電極が積層された所謂有機ＥＬ発光素子であって、面発光モジュール５の下面において各給電部材４の受け部に対応する部位には、上記陽極電極及び陰極電極にそれぞれ電源を供給するための給電端子（図示せず）がそれぞれ設けられている。尚、本実施形態では、面発光モジュール５として従来周知のものを採用しており、詳細については説明を省略する。
【００１３】
ここで、面発光照明器具Ａの組立方法について図１及び図２に基づいて説明する。尚、本説明において、点灯回路３及び各給電部材４は予めボディ１に取り付けられ、点灯回路３の各出力端子と対応する給電部材４との間も給電線（図示せず）などにより電気的に接続されているものとする。まず、面発光モジュール５を給電端子側が下となるように配置し、面発光モジュール５を両給電部材４、４に設けた受け部の上面に載置する。この時、面発光モジュール５は、給電部材４のテーパ部４ｃに接触することによって幅方向（図１中の左右方向）に位置決めされ、面発光モジュール５の各給電端子は対応する受け部と接触する。しかも、本実施形態では面発光モジュール５の幅方向両側部に配置された給電部材４、４にそれぞれテーパ部４ｃを設けているので、面発光モジュール５の左右両側縁が両テーパ部４ｃ、４ｃに当接することによって、面発光モジュール５が両給電部材４、４の間に位置決めされる。その後、保持カバー２を上側からボディ１に取り付けると面発光照明器具Ａの組立てが完了する。この時、面発光モジュール５は保持カバー２の両突起２ｂ、２ｂにより下方に押圧され、この押圧力により両給電部材４、４は下方に弾性付勢される。そして、各給電部材４のばね反力により各受け部がそれぞれ対応する給電端子と弾接し、面発光モジュール５は、両受け部と両突起２ｂとの間で挟持された状態で保持される。
【００１４】
而して、この面発光照明器具Ａでは、各給電部材４にそれぞれテーパ部４ｃを設けることによって、面発光モジュール５を給電部材４の受け部に載置するだけで幅方向（給電部材４、４の間）の位置決めが容易に行え、また面発光モジュール５の各給電端子を対応する給電部材４の受け部に弾接させることによって、各給電端子と対応する給電部材４との密着性を向上させることができるので、枠状の給電部材と発光素子とを接着剤を用いて接着した場合に比べ、長期に渡って電気的接続の信頼性を向上させた面発光照明器具Ａを提供できる。また、テーパ部４ｃによって、面発光モジュール５の位置を規制することができるので、振動などが加わった場合でも面発光モジュール５が移動することがなく、各給電端子と対応する給電部材４の受け部を確実に接触させることができる。さらに、テーパ部４ｃにより位置決め手段を構成しているので、従来例のように面発光モジュールの位置決め手段を別に設けなくてもよく、部品点数を削減することができる。
【００１５】
尚、この面発光照明器具Ａでは、支持片４ｂの幅方向にのみテーパ部４ｃを設けた場合を例に説明したが、支持片４ｂの長手方向の両側縁にさらにテーパ部を設けてもよく、この場合面発光モジュール５を前後左右に容易に位置決めできるとともに、水平方向の移動を規制できるので、各給電端子と対応する給電部材４の受け部をより確実に接触させることができる。
【００１６】
次に、本発明に係る面発光照明器具Ａの他の形態について図３及び図４に基づいて説明する。この面発光照明器具Ａは、面発光モジュール５と、点灯回路３と、ボディ１と、面発光モジュール５の給電端子に電源を供給する一対の給電部材（弾性部材）７と、ボディ１に回動自在に軸支され面発光モジュール５を保持する保持カバー（ホルダー部）６とを備えており、保持カバー６及び給電部材７以外の構成は図１及び図２で説明した面発光照明器具Ａと同様であり、同一の構成要素には同一の符号を付して説明は省略する。尚、以下の説明では特に断りがない限り、図４中の矢印ａ−ｂの方向を前後方向、矢印ｃ−ｄの方向を上下方向、矢印ｅ−ｆの方向を左右方向として説明を行う。
【００１７】
保持カバー６は、保持カバー２と同様に透光性を有する合成樹脂からなり、図３及び図４に示すように下面及び後面が開口する略矩形状のカバー本体６ａを有し、カバー本体６ａにおいて左右方向の両側壁の内側面には、面発光モジュール５の幅方向に沿う両端縁が挿通される挿通溝６ｂがそれぞれカバー本体６ａの前後方向に沿って設けられている。この保持カバー６は、図４に示すように前側部に設けた枢支部６ｃを介してボディ１に軸支されており、面発光モジュール５を保持する閉位置（図３に示す位置）と、面発光モジュール５を抜き差しする開位置（図４に示す位置）との間で開閉自在となっている。尚、保持カバー６は、適宜の取付手段によりボディ１に取り付けられる。ここにおいて、カバー本体６ａの開口する後面により面発光モジュール５が抜き差しされる挿入口が構成されている。
【００１８】
給電部材７は、給電部材４と同様に弾性を有する導電材料からなり、図３及び図４に示すように側面視の形状が略コ字状に形成された長尺状の取付片７ａを有し、取付片７ａの上片の端縁には上方に向かって当該上片と略直交する方向に延出し、さらにその端縁が外側に向かって上記上片と略平行な方向に延出するＬ字状の支持片７ｂが折曲形成されている。また、支持片７ｂの長手方向（図３中の前後方向）両端縁には、図４に示すように斜め上方に傾斜するテーパ部７ｃ（図４では後ろ側の１個のみ図示）が折曲形成されている。この給電部材７は、その長手方向がボディ１の長手方向に沿って配置され、例えば取付片７ａの下片に設けたねじ挿通孔（図示せず）に挿通した固定ねじ（図示せず）を用いてボディ１にねじ固定される。ここに、支持片７ｂの上片により受け部が構成されている。
【００１９】
ここで、この面発光照明器具Ａの組立方法について図３及び図４に基づいて説明する。尚、本説明において、点灯回路３及び各給電部材７は予めボディ１に取り付けられ、点灯回路３の各出力端子と対応する給電部材７との間も給電線（図示せず）などにより電気的に接続されているものとする。まず、給電端子側が下となるように配置した状態で面発光モジュール５を後面側（図４中のＢ方向）から保持カバー６の挿入口に挿入し、面発光モジュール５の両端縁をそれぞれ対応する挿通溝６ｂ内に挿通して面発光モジュール５を保持カバー６に支持させる。その後、保持カバー６を右回り（図４中のＣ方向）に回転させて保持カバー６をボディ１に取り付けると面発光照明器具Ａの組立てが完了する。この時、面発光モジュール５は保持カバー６に設けた両挿通溝６ｂ、６ｂの上端面により下方に押圧され、この押圧力により両給電部材７、７が面発光モジュール５の電極部分に弾接する。そして、各給電部材７のばね反力により各受け部がそれぞれ対応する給電端子と弾接し、面発光モジュール５は、受け部と挿通溝６ｂの上端面との間で挟持された状態で保持される。またこの時、面発光モジュール５は、各給電部材７の長手方向両端部にそれぞれ設けたテーパ部７ｃにより給電部材７の長手方向（図３中の前後方向）に位置決めされる。
【００２０】
而して、この面発光照明器具Ａでは、各給電部材７の長手方向にテーパ部７ｃを設けることによって面発光モジュール５を長手方向に容易に位置決めでき、しかも、本実施形態では給電部材７の長手方向両端部にそれぞれテーパ部７ｃを形成しているので、両側から面発光モジュール５に当接することで面発光モジュール５を中央位置に配置することができる。また、面発光モジュール５の各給電端子を対応する給電部材７の受け部に弾接させることによって、各給電端子と対応する給電部材７との密着性を向上させることができるので、枠状の給電部材と発光素子とを接着剤を用いて接着した場合に比べ、長期に渡って電気的接続の信頼性を向上させた面発光照明器具Ａを提供できる。さらに、面発光モジュール５の幅方向の移動は挿通溝６ｂにより規制され、長手方向の移動はテーパ部７ｃにより規制されるので、振動などが加わった場合でも面発光モジュール５が移動することがなく、各給電端子と対応する給電部材７の受け部を確実に接触させることができる。また、テーパ部７ｃにより位置決め手段を構成しているので、従来例のように面発光モジュールの位置決め手段を別に設けなくてもよく、部品点数を削減することができる。
【００２１】
尚、本実施形態では、給電部材４、７として、弾性を有する導電材料により一体に折曲形成したものを例に説明したが、給電部材４、７は本実施形態に限定されるものではなく、例えば導電材料からなるコイルばねと、導電材料からなり面発光モジュール５の給電端子と接触する端子部とを一体的に設けたものであってもよい。
【００２２】
また、給電部材４、７の形状についても本実施形態に限定されるものではなく、面発光モジュール５の給電端子が当接する受け部と、受け部の端縁から延出する面発光モジュール５の位置決め用のテーパ部が設けられていればよい。
【図面の簡単な説明】
【００２３】
【図１】本実施形態の面発光照明器具の断面図である。
【図２】同上の面発光照明器具の分解斜視図である。
【図３】同上の他の例を示す断面図である。
【図４】同上の他の例を示す斜視図である。
【符号の説明】
【００２４】
１  ボディ
２  保持カバー（ホルダー部）
４  給電部材（給電部、弾性部材）
４ｂ  支持片（受け部）
４ｃ  テーパ部
５  面発光モジュール
Ａ  面発光照明器具
【図１】
0004867877.tif 000002
【図２】
0004867877.tif 000003
【図３】
0004867877.tif 000004
【図４】
0004867877.tif 000005